(57)【特許請求の範囲】
【請求項１】
パネルの開閉動作を自動で行うパネルの開閉機構であって、
上記パネルを第一の状態から第二の状態に移動するように上記パネルの開閉機構を動作させる第一のスイッチと、
上記パネルを上記第二の状態から上記第一の状態に戻すように上記パネルの開閉機構を動作させるための第二のスイッチと、
を有し、
上記第一の状態にあるパネルを押圧することにより上記第一のスイッチが操作され、上記第二の状態にあるパネルを押圧することにより上記第二のスイッチが操作されることを特徴とするパネルの開閉機構。
【請求項２】
前記第一のスイッチと前記第二のスイッチに対する押圧方向が同じであることを特徴とする請求項１記載のパネルの開閉機構。
【請求項３】
前記第一のスイッチおよび前記第二のスイッチは、同一のスイッチであることを特徴とする請求項１または２記載のパネルの開閉機構。
【請求項４】
前記パネルは、電子機器の前面操作部の開閉を行う覆い部材であることを特徴とする請求項１から３の何れか一項記載のパネルの開閉機構。
【請求項５】
前記パネルは、その開動作に伴って前記電子機器の内部に収納されるものであることを特徴とする請求項４記載のパネルの開閉機構。
【請求項６】
前面操作部の開閉を行うパネルを有する電子機器であって、
請求項１から５の何れか一項記載のパネルの開閉機構を有することを特徴とする電子機器。
【発明の詳細な説明】
【０００１】
【発明の属する技術分野】
本発明は、操作キー等を覆うパネルを開閉する機構および当該パネルの開閉機構を有する電子機器に関する。
【０００２】
【従来の技術】
オーディオ装置や表示装置等の電子機器の中には、その機器を使用する際、その操作部を開放し、不使用の際には操作部を覆う構造のものが知られている。操作部を覆う部材がパネルと呼ばれているものである。このパネルとよばれている覆い部材は、たとえば、車に搭載したオーディオ装置が露出しないようにその操作部を隠し、オーディオ装置の盗難や誤操作を防止したり、車内の見栄えを良くしたり、内装の簡素化を図る等の目的で用いられている。そして、このようなパネルでの電子機器の覆い動作としては、電子機器に対して回動自在に設けられたパネルを手動で人為的に開閉するようにしたものもあるが、現在では、モータの駆動によりパネルを自動で機械的に開閉するようにしている。
【０００３】
そこで、モータの駆動によりパネルを自動で機械的に開閉するようにした開閉機構の一例を、図７を参照しながら説明する。図７は、前方または上方への移動動作がなされる板状のパネル５１を有している電子機器Ａにおける開閉機構の概略を説明する簡略図であり、（Ａ）は第一の状態となる閉状態のパネル５１を第二の状態となる開状態に移動させる操作の状態を示す側面図、（Ｂ）は開状態にあるパネル５１を閉状態に戻す操作の状態を示す側面図である。
【０００４】
この図に示すパネル５１は、電子機器Ａの正面Ａ−１に垂直に配置される状態を、例えば、第一の状態とし、電子機器Ａの操作部が露出しないようその正面Ａ−１側を覆う状態とする。また、電子機器Ａの上面Ａ−２に水平に配置される状態を、例えば、第二の状態とし、電子機器Ａの操作部が露出するよう正面Ａ−１を開く状態とする。また、このパネル５１は、駆動源（図示せず）によって動作させられ、一方、駆動源は、開閉スイッチ５２によって作動させられる。
【０００５】
第一の状態となる閉状態のパネル５１の近傍（図７では下部）には、外部に露出し、外から見える状態でスイッチノブ５３が設けられており、その奥（後ろ）には、開閉スイッチ５２が設けられている。すなわち、開閉スイッチ５２は、スイッチノブ５３で覆われて外部からは見えず、前方（図７の左方）から見てスイッチノブ５３の後方に配置された状態となっている。
【０００６】
また、このスイッチノブ５３は、押圧操作に伴って後動するものであり、正面からの押圧によりその奥に位置する開閉スイッチ５２の押圧操作がなされるようになっている。この開閉スイッチ５２は、上述した駆動源に電気的に接続されており、押圧操作がなされると、パネル５１の移動動作を行うように構成されている。このように、電子機器Ａは、別々に分けて設けられたパネル動作機構部とスイッチ機構部とを有している。
【０００７】
そして、パネル５１の移動動作は、次のようになされる。まず、パネル５１が閉状態の時にスイッチノブ５３を押圧すると、スイッチノブ５３が奥（後ろ）に移動して開閉スイッチ５２が押される。開閉スイッチ５２が押されると駆動源が作動し、垂直状態のパネル５１を水平状態に寝かせながら後方へ引き込むように移動させ、パネル５１を電子機器Ａの内部に収納して正面を開く動作を行う。これにより、パネル５１が開状態となって電子機器Ａの操作部が露出される。
【０００８】
また、パネル５１が開状態の時にスイッチノブ５３を押圧すると、スイッチノブ５３が奥（後ろ）に移動して開閉スイッチ５２が押される。開閉スイッチ５２が押されると駆動源が作動し、水平状態のパネル５１を垂直状態に起立させながら前方へ押し出すように移動させ、パネル５１を電子機器Ａの内部から出して正面を閉じる動作を行う。これにより、パネル５１が閉状態となって電子機器Ａの操作部が隠される。
【０００９】
【発明が解決しようとする課題】
しかしながら、上述のような手段は、パネル動作機構部とスイッチ機構部とを別々に分けて設けることにより全体の機構は簡素化されるが、次のような幾つかの問題点を有している。まず、パネル５１の動作を開始させる開閉スイッチ５２を操作するために、外部に露出する外観部品として、スイッチノブ５３が必要となる。
【００１０】
また、外部に露出することとなるスイッチノブ５３が必要となることにより、このスイッチノブ５３の配置位置によって電子機器Ａの外観に大きな影響を及ぼす。すなわち、時には、このスイッチノブ５３により電子機器Ａの見栄えを悪くしてしまう。しかも、スイッチノブ５３が、パネル５１の表面より突出して設けられるものである場合は、一層見栄えを悪くしてしまうことがある。
【００１１】
また、パネル５１を設けるスペースの他に、別途スイッチノブ５３を設けるスペースを要するが、電子機器Ａの前面にスイッチノブ５３を設けるスペースが十分に取れない（確保できない）場合がある。このような場合、スイッチを小型化する等の工夫をすることでスイッチの操作性が悪くなってしまう危険性が高い。また、スイッチノブ５３を設けるスペースが確保できたとしても、無理な配置となり、操作性が悪いものになりがちとなる。
【００１２】
さらに、設けられたスイッチ機構部が、押圧操作によってスイッチノブ５３の表面が設置面から陥没するタイプの場合、スイッチノブ５３の正しい押圧面からずれた部分を誤って押してしまい、陥没段差で指先を痛めてしまう恐れもある。
【００１３】
本発明は、上述の問題点を解決するためになされたもので、スイッチノブのような余分な部材を不要とし、外観がすっきりとし、操作性を向上し得るパネルの開閉機構およびパネルの開閉機構を有する電子機器を提供することにある。
【００１４】
【課題を解決するための手段】
本発明のパネルの開閉機構は、パネルの開閉動作を自動で行うパネルの開閉機構であって、パネルを第一の状態から第二の状態に移動するように上記パネルの開閉機構を動作させる第一のスイッチと、パネルを第二の状態から第一の状態に戻すようにパネルの開閉機構を動作させるための第二のスイッチとを有し、第一の状態にあるパネルを押圧することにより第一のスイッチが操作され、第二の状態にあるパネルを押圧することにより第二のスイッチが操作されるようにしたものである。
【００１５】
また、他の発明は、上述の発明のパネルの開閉機構に加え、第一のスイッチと第二のスイッチに対する押圧方向が同じであることとしたものである。
【００１６】
また、他の発明は、上述の発明のパネルの開閉機構に加え、第一のスイッチおよび第二のスイッチは、同一のスイッチであることとしたものである。
【００１７】
また、パネルは、電子機器の前面操作部の開閉を行う覆い部材とするのが好ましい。さらに、パネルは、その開動作に伴って電子機器の内部に収納されるようにするのが好ましい。
【００１８】
また、本発明の電子機器は、操作部の開閉を行うパネルを有する電子機器であって、上述した各発明のパネルの開閉機構の何れか一つを有するようにした（採用した）ものである。
【００１９】
【発明の実施の形態】
以下、本発明の実施の形態に係るパネルの開閉機構およびパネルの開閉機構を有する電子機器について、図面に基づき説明する。まず、はじめに、本実施の形態に係るパネルの開閉機構についての概略を、図１に基づいて説明する。図１は、本実施の形態に係るパネルの開閉機構の概略を簡略に説明する図であり、（Ａ）は第一の状態となる閉状態のパネル部材を第二の状態となる開状態に移動させる操作の状態を示す側面図、（Ｂ）は第二の状態となる開状態のパネルを第一の状態となる閉状態に戻す操作の状態を示す側面図である。
【００２０】
本実施の形態のパネルの開閉機構は、図１に示すように、電子機器Ａの前面操作部Ａ−１を覆う可動物品としてのパネル１の移動動作を行うものであり、図１（Ａ）の矢示Ｗ１に示すように、閉状態にあるパネル１の前面平面部下方を押圧することで、このパネル１を開状態に移動する動作を開始するようにしている。また、図１（Ｂ）の矢示Ｗ２に示すように、開状態にあるパネル１の端部を押圧することで、このパネル１を閉状態に戻す動作を開始するようにしている。すなわち、パネル動作機構部とスイッチ機構部とを併せて構成するようにしたものであり、このパネル１自体を、パネル１の移動動作を開始する開閉スイッチ２−１，２−２を操作するスイッチノブの代わりとして用いるようにしている。
【００２１】
このように、電子機器Ａの前面操作部Ａ−１を覆うのに要するパネル１を、その移動動作を開始する開閉スイッチ２−１，２−２を操作を行うスイッチノブの代わりとして用いるようにしたことで、このパネル１の押圧操作によりパネル１の移動動作を行うためのスイッチ２−１，２−２への入力操作がなされる。したがって、パネル１の移動動作において従来は直接押圧することを要していたスイッチノブが不要となり、また、これに伴ってスイッチノブを露出させる必要がなくなり、外観を簡素化した見栄えの良いものとすることができる。
【００２２】
また、このスイッチ機構においては、閉状態にあるパネル１を押圧することによりその動きが伝達される位置に、第一の状態にあるパネル１を第二の状態に移動する動作を開始する第一のスイッチ２−１を設け、また、第二の状態にあるパネル１を押圧することによりその動きが伝達される位置に、第二の状態にあるパネル１を第一の状態に戻す動作を開始する第二のスイッチ２−２を設けている。
【００２３】
すなわち、この第一のスイッチ２−１は、パネル１が第一の状態となる閉状態として電子機器Ａの前面に垂直状態とされている時に、このパネル１の前面下方部分が押されると、このパネル１に先端部３Ａが連結されたパネルアーム３を介して、その後端部３Ｂがこの第一のスイッチ２−１の動作部を押圧可能な位置に設けられている（図１（Ａ）参照）。一方、第二のスイッチ２−２は、パネル１が第二の状態となる開状態にある時にこのパネル１の下端部１Ｂが押されると、水平状態に置かれるこのパネル１の上端部１Ａの後方延長線上に位置してパネル１とともに移動する突起部１５がこの第二のスイッチ２−２の動作部を押圧可能な位置に設けられている（図１（Ｂ）参照）。
【００２４】
このように、第一の状態にあるパネル１を第二の状態に移動する動作を開始する第一のスイッチ２−１と、第二の状態にあるパネル１を第一の状態に戻す動作を開始する第二のスイッチ２−２を有するようにしたことで、各動作を行うスイッチがそれぞれの動作毎に個別に分けられるので、スイッチの二度押しといった押し間違えによる誤作動を防ぐことができる。
【００２５】
そして、このようなスイッチ機構は、例えば、パネル１が第一の状態として電子機器Ａの前面に垂直状態にある時に、このパネル１の前面下方を外部より押圧することで、パネル１に先端部３Ａが連結されたパネルアーム３の後端部３Ｂで第一のスイッチ２−１の動作部を押圧操作する。すると、駆動源が駆動を開始し、第一の状態にあるパネル１を第二の状態に移動する動作を開始させることができる。また、パネル１が第二の状態として電子機器Ａの上面に水平状態にある時に、このパネル１の先端部（すなわち、第一の状態にある時の下端部１Ｂ）を、パネル１が第一の状態にある時の押圧方向と同方向に外部より押圧することで、パネル１の上端部１Ａの後方延長線上に位置してパネル１とともに移動する突起部１５で第二のスイッチ２−２を押圧操作する。すると、駆動源が駆動を開始し、第二の状態にあるパネル１を第一の状態に移動する動作を開始させることができる。
【００２６】
このように、第一のスイッチ２−１と第二のスイッチ２−２の押圧操作方向が同じとなるようにしたことで、パネル１の移動前後におけるパネル１に対する押圧方向も同じになり、パネル１を有する電子機器Ａは、パネル１を押圧するための一面だけを露出させれば他の面は露出させずに隠すことができ、一層見栄えを良くすることができる。
【００２７】
次に、上述した本実施の形態に係るパネルの開閉機構およびパネル開閉機構を有する電子機器について、図２から図６に基づき具体的に説明する。以下に説明する実施の形態における電子機器Ａとしては、移動動作を要するパネル１により前面操作部Ａ−１を覆うようにした、車に搭載するオーディオ装置Ａを採用している。なお、操作部Ａ−１には、各種表示部やボリュームのつまみ、操作キー、リモコン受光部等が設けられている。
【００２８】
図２は、本実施の形態に係るパネル開閉機構を有するオーディオ装置Ａのパネル１が閉状態の内部構造を示す斜視図であり、図３は、図２からカム板を取り外した状態の内部構造を示す斜視図であり、図４は、その内部構造を示す側面透視図である。また、図５は、当該オーディオ装置Ａのパネル１が開状態の内部構造を示す斜視図であり、図６は、その内部構造を示す側面透視図である。
【００２９】
このオーディオ装置Ａは、未使用時はその前面側操作部Ａ−１を全面的に覆うに十分な大きさをした薄厚の板状体よりなるパネル１によって前面操作部Ａ−１が覆われている。また、パネル１の裏面側上端部両側には、パネル１側に向かって伸びる先端部３Ａを有するパネルアーム３，３がそれぞれ取り付けられている。このパネルアーム３は、開スイッチ２−１を操作する後端部３Ｂを有しており、この先端部３Ａと後端部３Ｂとを、側方から見て略クランク形状をした中間部３Ｃにより一体的に繋いでいる。
【００３０】
すなわち、パネルアーム３は、パネル１の裏面側上端部に向かって略水平に伸びると共に上方から見てコ字状に形成される先端部３Ａと、この先端部３Ａから下方に伸びＬ字状に曲折して後方に向かい、さらに後方斜め下方に伸びる略クランク状の中間部３Ｃと、この中間部３Ｃから後方に水平に伸びる後端部３Ｂとからなる。そして、パネル１の閉状態におけるこのパネルアーム３の後端部３Ｂ近傍には、パネル１の開動作を開始する開スイッチ２−１が配置されている。
【００３１】
また、パネルアーム３の中間部３Ｃと先端部３Ａには、それぞれ外方に突出した案内軸１９，２０が設けられている。一つは、パネル１の状態（向き）を垂直または水平に変える際の支点となるパネル回転支軸１９であり、中間部３ＣにおけるＬ字状に曲折した角部に設けられている。もう一つは、パネル１の状態（向き）を垂直または水平に変えるために移動するパネルガイド軸２０であり、先端部３Ａ（すなわち、Ｌ字状に曲折した上端部）の近傍に設けられている。そして、パネル回転支軸１９とパネルガイド軸２０は、カム板６に形成された二つの案内溝（パネル支軸溝２２、パネル移動溝２３）に沿って移動することで、パネルアーム３を垂直方向に回動させて、パネルアーム３に取り付けられたパネル１の状態（向き）を垂直または水平に変えるものである。
【００３２】
カム板６は薄厚の板状体であり、パネルアーム３の外側にそれぞれ設けられている。このカム板６に形成された二つの案内溝は、一つが、パネル１の状態（向き）を垂直または水平に変える際にパネル回転支軸１９を支持し、パネル１の状態（向き）が変わった後はその状態での（後方への）移動を案内する略水平方向に一直線状に伸びるパネル支軸溝２２である。また、もう一つは、パネル１の状態（向き）を垂直または水平に変えるために移動するパネルガイド軸２０を案内し、パネル１の状態（向き）を垂直から水平状態に変えると共に変わった後も引き続きその状態での後方への移動を案内するパネル移動溝２３である。すなわち、このパネル移動溝２３は、パネル１の状態（向き）を垂直または水平に変えるためにパネルガイド軸２０が移動する弧状部２３Ａと、パネル１の状態（向き）が変わる前または変わった後の状態を維持するためにパネルガイド軸２０が移動する直線部２３Ｂとにより構成されている。
【００３３】
したがって、パネル回転支軸１９がパネル支軸溝２２の前端部２２Ａに支持された状態で、パネルガイド軸２０がパネル移動溝２３の弧状部２３Ａに沿って移動することで、パネル１の状態（向き）を垂直から水平にまたは水平から垂直に変える移動動作がなされる。また、パネル回転支軸１９がパネル支軸溝２２に沿って移動するとともに、パネルガイド軸２０がパネル移動溝２３の直線部２３Ｂに沿って移動することで、状態（向き）が変わった後または変わる前のパネル１の後方または前方への移動動作がなされる。
【００３４】
また、パネル１の左右にそれぞれ取り付けられたパネルアーム３，３は、パネル１側に向かって開口する平面略コ字状をした連結アーム４によってその上端部３Ａ同士が連結されている。そして、この連結アーム４は、シャーシとなる基台３０との間に架け渡した引っ張りコイルバネ８によって後方かつ下方へ引っ張られている。この引っ張りコイルバネ８は、一端が連結アーム４に設けられたアーム係止部１７に係止され、他端がオーディオ装置Ａ全体を支持する基台３０に設けられた基台係止部１８に係止されている。これにより、連結アーム４とともにパネルアーム３が後方かつ下方へ引っ張られるが、後述するギヤ機構の係止力（モータ７のリラクタンストルクとギヤ機構の増速輪列の作用）によって連結アーム４の後方への移動ならびに、パネルアーム３の回動および移動を防止してパネル１を閉状態に保っている。
【００３５】
なお、開閉スイッチ２−１を操作する際のパネル１の押圧力は、引っ張りコイルバネ８の強さにより調整される。すなわち、押圧の際に働く力は、引っ張りコイルバネ８の縮まろうとする弾性力に抗する力であり、引っ張りコイルバネ８を伸ばそうとする力となるためである。なお、閉スイッチ２−２を操作する際の押圧力も、同様に引っ張りコイルバネ８の強さに調整される。この引っ張りコイルバネ８は、一つに限らず二つ（パネル開用とパネル閉用）を用いるようにしても良い。
【００３６】
また、連結アーム４の左右両側には、後方にせり出す舌片状の突起部１５，１５がそれぞれ連設されており、スライド板５の前方左右両側にそれぞれ連設された起立突起部２５，２５に係合している。具体的には、起立突起部２５に、横長楕円形状のストローク穴１６が設けられている。一方、各突起部１５，１５の互いに対向する方向に伸びたアーム部（図示省略）に、環状をした連結カラー２１が取り付けられ、その連結カラー２１がストローク穴１６内で移動可能とされている。すなわち、この連結カラー２１のストローク穴１６への移動可能な状態での取り付けが、パネル１を押圧したときの遊びとなって作用することとなり、このストローク穴１６と連結カラー２１とによりスイッチストロークが調整される。なお、この際、この実施の形態とは逆に、突起部１５にストローク穴を設け、起立突起部２５，２５に設けた連結カラーによって連結アーム４とスライド板５とを係合するようにしても良い。
【００３７】
また、一方の突起部１５（図２、図３では下方側の突起部１５）は、パネル１が開状態の時に、パネル１を介して連結アーム４が前方より押圧されることで、閉スイッチ２−２の動作部を操作することとなる接触部１５ａを後方端に有している。したがって、閉スイッチ２−２は、パネル１が開状態の時の一方の突起部１５の後方近傍に配置されている。
【００３８】
また、スライド板５は、その左右何れか一方（この実施の形態では正面から見て右方）の縁部に、下方に向かって垂下するラック１２を有している。このラック１２は、開スイッチ２−１と閉スイッチ２−２の操作によって始動するモータ７からの動力を、ウォームギヤ１３とウォームホイル１４からなるウォーム機構９と、ウォームホイール１４と一体の第一平ギヤ１４ａと、第二平ギヤ１０と、第三平ギヤ１１とを介して受け取るものとなっている。このように、ラック１２は、モータ７からの動力を受ける第三平ギヤ１１と噛み合うことにより、スライド板５を移動させることとなる。換言すれば、モータ７は、このギヤ機構（ウォームギヤ１３からラック１２に至るギヤ伝達機構）を介して、スライド板５を移動させる。
【００３９】
次に、以上のように構成した本実施の形態のパネルの開閉機構を採用したオーディオ装置Ａの動作について述べる。
【００４０】
まず、閉状態となっているパネル１の前面下方を押圧する。この時、パネル１とパネルアーム３は、パネル回転支軸１９を中心に回動する（図３で反時計方向に回動）。この回動によって、開スイッチ２−１は、パネル回転支軸１９を中心に回動するパネルアーム３の後端部３Ｂによって動作させられる。なお、パネルアーム３の回動がし易いようにするには、上述するように、パネル１の前面下方部分を押圧するのが望ましい。すなわち、パネル１の前面下方部分が押圧されると、パネル回転支軸１９を中心にパネルアーム３が回動することによって後端部３Ｂが上方に持ち上がり、その後方に設置されていた開スイッチ２−１の動作部とぶつかることによって、開スイッチ２−１を動作させる。
【００４１】
この時のパネル１の回動（押された時の回動）範囲は、連結カラー２１が図３の状態からストローク穴１６内を前方に移動できる距離に制約される。しかし、このわずかな移動によって、パネルアーム３は、開スイッチ２−１を十分に動作させる回動を行うことができる。また、パネル１の押圧は、引っ張りコイルバネ８の引張り力に抗して行われる。すなわち、スイッチ操作荷重は、引っ張りコイルバネ８の張力に依存している。
【００４２】
次いで、開スイッチ２−１がオン操作されるとモータ７が駆動し、その動力をウォーム機構９のウォームギヤ１３からウォームホイル１４へ伝達する。ウォームホイル１４へ伝達された動力は、互いに噛み合うように配置された第一ギヤ１４ａおよび第二平ギヤ１０を介して第三平ギヤ１１に伝達され、さらに第三平ギヤ１１からスライド板５に設けられたラック１２へと伝達される。そして、ラック１２に動力が伝達されると、ラック１２は後方へ動き出し、スライド板５の後方への移動が開始される。
【００４３】
スライド板５が後方へ移動すると、これに連結された連結アーム４が後方へ引っ張られるように移動する。連結アーム４は、スライド板５の力に加え、引っ張りコイルバネ８によって後方かつ下方へ引きつけられながら後方へ移動する。そして、連結アーム４が後方へ移動すると、その両側に接続されたパネルアーム３も、パネルアーム３の外側に設けられたカム板６に形成された二つの案内溝に沿って後方へ移動することとなる。
【００４４】
パネルアーム３のカム板６の案内溝に沿った移動は、次のようになされる。まず、カム板６に形成されたパネル支軸溝２２の前端部２２Ａに支持されたパネルアーム３のパネル回転支軸１９を支点として、パネルガイド軸２０がパネル移動溝２３の弧状部２３Ａに沿って弧状に回動移動する。これにより、パネルアーム３の上端部３Ａが後方へ引っ張られるように弧状に移動し、パネルアーム３を回転支軸１９を中心に、図３で時計方向に回動させる。パネルアーム３が図３で時計方向に回動すると、パネルアーム３に取り付けられたパネル１も垂直状態から水平状態となるように回動し、パネル１の状態（向き）を垂直の閉状態から水平の開状態へ変化させる。
【００４５】
さらに、引き続いてパネルガイド軸２０がパネル移動溝２３の直線部２３Ｂに沿って直線的に移動すると、パネル回転支軸１９もパネル支軸溝２２に沿って直線的に移動し、水平状態となった後のパネル１の後方への移動動作がなされる。この時、パネル１は、オーディオ装置Ａの上面に移動し、外観上はオーディオ装置Ａの内部に引き込まれて収納されたようになる。これにより、パネル１の前面操作部Ａ−１は完全な開状態となり、オーディオ装置Ａの前面操作部Ａ−１が現れ、その使用が可能な状態となる。この状態のときには、引っ張りコイルバネ８の縮もうとする力によって、ラック１２が前方へ移動しようとするが、ギヤ機構による係止力（モータのリラクタンストルクとギヤ機構の増速輪列の作用）によって、その動きが抑えられ、パネル１の開状態が維持される。なお、パネル１の開状態の維持の場合は、モータ７が回転しない程度にモータ７に通電することで、開状態を維持するようにしても良い。
【００４６】
一方、オーディオ装置Ａの使用を終了し、前面操作部Ａ−１をパネル１で覆って閉状態とする場合は、図５に示すように、パネル１の下端部１Ｂを前面方向（すなわち、パネルを開状態とする押圧方向と同じ方向）に押圧する。
【００４７】
パネル１の下端部１Ｂが押圧されると、水平状態のパネル１が後方（奥）へ押し込まれるように移動する。すると、パネル１に取り付けられたパネルアーム３を介して接続された連結アーム４は、わずかに後方へ移動する。この移動は、図５の状態から連結カラー２１がストローク穴１６内を後方へ移動することによって行われる。すなわち、連結アーム４が押圧移動されると、その左右両側から後方にせり出すように連設された突起部１５，１５も後方へ押圧移動され、突起部１５，１５に取り付けられた連結カラー２１，２１が、スライド板５の前方左右両側にそれぞれ連設された起立突起部２５，２５に形成されたストローク穴１６内を後方へ移動する。
【００４８】
ストローク穴１６の後端まで連結カラー２１が移動する範囲内で、一方の突起部１５に設けられた接触部１５ａが閉スイッチ２−２を動作させる。すなわち、突起部１５が後方へ押圧移動されると、接触部１５ａがその後方に設置されていた閉スイッチ２−２とぶつかることによって閉スイッチ２−２が動作し、パネル１の閉操作が開始される。なお、このパネル１の押圧は、引っ張りコイルバネ８の縮もうとする引張り力に抗して行われる。すなわち、このときのスイッチ操作荷重も引っ張りコイルバネ８の張力に依存している。
【００４９】
閉スイッチ２−２が動作されると、パネル１の開方向の時とは逆向きにモータ７が駆動し、その動力をウォーム機構９のウォームギヤ１３からウォームホイル１４へ伝達する。ウォームホイル１４へ伝達された動力は、互いに噛み合うように配置された第一平ギヤ１４ａおよび第二平ギヤ１０を介して第三平ギヤ１１に伝達され、さらに第三平ギヤ１１からスライド板５に設けられたラック１２へと伝達される。そして、ラック１２に動力が伝達されると、スライド板５の前方への移動が開始される。
【００５０】
スライド板５が前方へ移動すると、これに連結された連結アーム４が前方へ移動する。すると、連結アーム４は、スライド板５の力に加え、引っ張りコイルバネ８によって前方かつ下方へ引っ張られながら前方へ移動する。そして、連結アーム４が前方へ移動すると、その両側に接続されたパネルアーム３も、パネルアーム３の外側に設けられたカム板６に形成された二つの案内溝に沿って前方へ押し出されるように移動する。
【００５１】
そして、パネルアーム３のカム板６の案内溝に沿った移動は、まず、カム板６に形成されたパネル支軸溝２２に沿ってパネル回転支軸１９が直線的に移動するとともに、パネル移動溝２３の直線部２３Ｂに沿ってパネルガイド軸２０が移動する。これにより、パネル１は水平状態のままオーディオ装置Ａの内部から押し出されるように前方へ移動する。
【００５２】
次いで、パネル回転支軸１９がパネル支軸溝２２の前端部２２Ａまで移動すると、パネル回転支軸１９はこの前端部２２Ａに支持され、このパネル回転支軸１９を支点として、パネル移動溝２３の弧状部２３Ａに沿ったパネルガイド軸２０の移動だけが引き続き行われる。パネル移動溝２３の弧状部２３Ａに沿ったパネルガイド軸２０の弧状の移動がなされると、パネルアーム３はパネル回転支軸１９を中心として図２等で反時計方向に回動する。すると、パネルアーム３に取り付けられたパネル１も反時計方向に回動し、パネル１の状態（向き）を水平の開状態から垂直の閉状態へ変化させる。これにより、パネル１は完全な閉状態となり、オーディオ装置Ａの前面操作部Ａ−１は隠れて使用が不可能な状態となる。
【００５３】
以上のように、本実施の形態に係るパネルの開閉機構を、前面操作部Ａ−１を覆うパネル１を有するオーディオ装置（電子機器）Ａに採用したことにより、パネル１の開閉を行うために押圧動作を要するスイッチノブを別途設ける必要が無くなる。また、オーディオ装置Ａの不使用時は、前面操作部Ａ−１をパネル１で覆ってしまうことで、誤操作を防ぐことができる。しかも、複数の操作部が並列に設けられている場合には、不要な操作部を閉じ（覆って）、必要な操作部だけを開けば、操作部の押し間違えを防ぐことができる。
【００５４】
また、スイッチノブを別途設ける必要が無いので、外観への影響が生じず、操作性が向上したオーディオ装置Ａとすることができる。さらに、オーディオ装置Ａの前面操作部Ａ−１の前面を覆って閉状態とするパネル１をオーディオ装置Ａの上面に移動させ、パネル１がオーディオ装置Ａの内部に収納されたようにすることで、前面操作部Ａ−１の操作においてパネル１が邪魔になることがないものとなる。
【００５５】
また、電子機器Ａの前面を全体的に覆う広い面積を有する覆い部材がスイッチノブの代わりとなるので、場所的にも押圧操作的にも非常に使い勝手が良いものとなる。このため、たとえ覆い部材となるパネル１が設置面から陥没するタイプの場合であっても、覆い部材は広い面積を有するものであることから、押圧操作を誤って陥没段差で指先を痛めてしまうといったことがない。
【００５６】
さらに、第一のスイッチとなる開スイッチ２−１と第二のスイッチとなる閉スイッチ２−２に対する押圧操作方向が同じとなるので、覆い部材となるパネル１の移動前後におけるパネル１に対する押圧方向も同じになり、パネル１を押圧するための一面だけを露出させれば他の面は露出させずに隠して電子機器Ａを設置することができ、その外観を一層見栄えの良いものとすることができる。
【００５７】
なお、本実施の形態では車に搭載する電子機器の一つであるオーディオ装置Ａについて説明したが、本発明のパネルの開閉機構は、オーディオ装置に限らず、使用に際して移動動作を要する覆い部材（パネル）を要するものであれば、例えば、ナビゲーションシステムや他の表示装置等の電子機器に採用しても良いものである。また、パネルとしては覆い部材ではなく、表示部材（表示パネル）としても良い。
【００５８】
さらに、本発明のパネルの開閉機構は、パネルの開閉動作の他、パネルの開閉以外の移動動作やパネル以外の可動物品の移動動作に使用したり、２ポジションの状態変化を要することとなる一般的な可動物品に適用することができる。なお、２ポジションの状態変化としては、半開き状態と完全開状態の２ポジション、半開き状態と完全閉状態の２ポジション、半開き加減が異なる２ポジション等、種々の２ポジションのものがあり、それらに本発明を適用することができる。また、３ポジションを設定するものの一部にこの発明を採用することができる。
【００５９】
また、上述の説明では、電子機器Ａの前面操作部Ａ−１を覆うパネル１について説明したが、パネル１は、前面操作部Ａ−１ではなく、側方や他の部位に存在する操作部を覆ったり覆わなかったりしても良い。また、スイッチを開スイッチ２−１と閉スイッチ２−２の２つとしているが、１つのスイッチで開閉を兼用するようにしても良い。また、パネル１を電子機器Ａの上部に収納するタイプを示したが、パネル１を電子機器Ａの下部（底側）に収納するタイプや、パネル１を電子機器Ａの側部に収納するタイプにも、本発明を適用することができる。
【００６０】
【発明の効果】
本発明によれば、パネルがスイッチノブの代わりとなって作用するため、別途スイッチノブを設ける必要がない。したがって、スイッチノブにより電子機器等のパネル部分の外観がすっきりとし、操作性が向上することとなる。
【図面の簡単な説明】
【図１】  本実施の形態に係るパネルの開閉機構の概略構成を説明する図であり、（Ａ）は第一の状態（閉状態）にあるパネルを第二の状態（開状態）に移動させる操作の状態を示す側面図、（Ｂ）は第二の状態にあるパネルを第一の状態に戻す操作の状態を示す側面図である。
【図２】本実施の形態に係るパネルの開閉機構を採用したオーディオ装置のパネル閉状態の内部構造を示す斜視図である。
【図３】本実施の形態に係るパネルの開閉機構を採用したオーディオ装置のパネル閉状態でかつカム板を取り外した状態の内部構造を示す斜視図である。
【図４】本実施の形態に係るパネルの開閉機構を採用したオーディオ装置のパネル閉状態の内部構造を示す側面透視図である。
【図５】本実施の形態に係るパネルの開閉機構を採用したオーディオ装置のパネル開状態でかつカム板を取り外した状態の内部構造を示す斜視図である。
【図６】本実施の形態に係るパネルの開閉機構を採用したオーディオ装置のパネル開状態の内部構造を示す側面透視図である。
【図７】従来のパネルの開閉機構の概略構成を説明する図であり、（Ａ）は第一の状態（閉状態）にあるパネルを第二の状態（開状態）に移動させる操作の状態を示す側面図、（Ｂ）は第二の状態にあるパネルを第一の状態に戻す操作の状態を示す側面図である。
【符号の説明】
Ａ      電子機器（オーディオ装置）
Ａ−１  前面操作部
１      パネル（覆い部材）
２−１  開スイッチ
２−２  閉スイッチ
３      パネルアーム
４      連結アーム
５      スライド板
６      カム板
７      モータ
８      引っ張りコイルバネ
９      ウォーム機構
１５    突起部
１５ａ  接触部
１６    ストローク穴
１９    パネル回転支軸（案内軸）
２０    パネルガイド軸（案内軸）
２１    連結カラー
２２    パネル支軸溝（案内軸）
２３    パネル移動溝（案内軸）
２５    起立突起部
３０    基台（シャーシ）
【図１】
0004119154.tif 000002
【図２】
0004119154.tif 000003
【図３】
0004119154.tif 000004
【図４】
0004119154.tif 000005
【図５】
0004119154.tif 000006
【図６】
0004119154.tif 000007
【図７】
0004119154.tif 000008